(57)【要約】【課題】節度感の有無を選択可能なクリック機構で、その節度感の有無に応じて所定のモード切換えを行う際の板ばね部材のふらつきによるモード誤判定を防止する。【解決手段】ダイヤルに連動して回転するロータ６２の外周面に凹部６２１と凸部６２２とが交互に形成され、その外周面に板ばねによって付勢されたスチールボールが圧接することで、ダイヤルの回転操作に節度感を得るようにしたダイヤルのクリック機構６において、切換えレバーで板ばねを跳ね上げて圧接を解除することで、節度感を無しにできるようにし、その節度感の有無を、板ばねを延長して、該板ばねを取付けるフレーム６３の側面６３１と別の側面６３２に設けた基板６８で検出し、モード切換え、具体的にはエンコーダパルスの倍率を変更する。その際、前記板ばねを短かな第１の板ばね６５と長い第２の板ばね６６との２枚で構成し、クリック時の揺れを抑える。【選択図】図３
2015076301.tif 000002
【特許請求の範囲】
【請求項１】
ダイヤルに連動して回転するロータの外周面に凹部と凸部とが交互に形成され、その外周面に、板ばね状の弾性部材によって付勢された係止部材が圧接し、該係止部材が前記ロータの回転に伴い前記凹部に嵌入してゆくことで、前記ダイヤルの回転操作に節度感を得るようにしたダイヤルのクリック機構において、
前記節度感の有無を選択可能とするために、前記節度感を無しにする場合は、前記弾性部材の基端側を跳ね上げて前記圧接を解除する切換えレバーと、
前記板ばね状の弾性部材の遊端側に設けられる作動片と、
前記係止部材とは前記ロータの周方向に離間した位置に設けられ、前記作動片の変位から、前記節度感の有無の選択結果を検出して動作モードを切換えるモード切換え手段とを含み、
前記弾性部材は、
前記係止部材を遊端側に有するとともに、前記切換えレバーの跳ね上げを受ける受け部と、前記受け部よりも遊端側に設けられる押圧部とを有する第１の板ばね部材と、
前記第１の板ばね部材の押圧部によって基端もしくは中央部寄りが押圧され、遊端側に前記作動片を有する第２の板ばね部材とを備えることを特徴とするクリック機構。
【請求項２】
前記ロータを収容する有底筒状のフレームの外周面に前記第１および第２の板ばね部材の基端側が固定され、
前記第２の板ばね部材は、
前記フレームに固定される基端部と、
前記基端部から第１の折れ線で折り曲げられて前記フレームから離反する方向に延びる立ち上げ部と、
前記立ち上げ部の先端から第２の折れ線で折り曲げられて前記フレームと略平行に延び、その先端に前記作動片を有する揺動部とを備えて構成されることを特徴とする請求項１記載のクリック機構。
【請求項３】
前記係止部材は、前記凸部を乗り越え、凹部に嵌入可能なスチールボールから成り、
前記第１の板ばね部材は、磁性材料から成り、かつ前記切換えレバーの跳ね上げ時に前記スチールボールを吸着する磁石を有し、
前記第２の板ばね部材は、非磁性材料から成ることを特徴とする請求項１または２記載のクリック機構。
【請求項４】
前記請求項１〜３の何れか１項に記載のクリック機構を備え、背面側に、シャフトで前記ロータが連動回転するように設けられていることを特徴とするダイヤル。
【請求項５】
前記ロータには、予め定める半径位置に、周方向に連続してエンコーダパターンが形成されており、
前記ロータを収容するフレームと、
前記フレームの一側面に形成された開口部から突出し、前記エンコーダパターンに臨む検出素子と、
前記検出素子を搭載する基板とをさらに備え、
前記基板の、表面側には前記モード切換え手段が搭載され、裏面側には前記検出素子が搭載されることを特徴とする請求項１〜４の何れか１項に記載のダイヤル。
【請求項６】
前記基板は、前記検出素子の前記エンコーダパターンの検出によるエンコーダパルスを出力する基板であり、
前記モード切換え手段は、節度感有り時は通常モードとして前記エンコーダパルスをそのまま出力させ、節度感無し時は倍速モードとして前記エンコーダパルスを所定の倍数にして出力させることを特徴とする請求項５記載のダイヤル。
【請求項７】
前記エンコーダパターンは透孔であり、前記検出素子は前記ロータを前後から挟み込み、対向面に一対の受発光素子を有する第１のフォトスイッチであることを特徴とする請求項５または６記載のダイヤル。
【請求項８】
前記モード切換え手段は、前記作動片を前後から挟み込み、対向面に一対の受発光素子を有する第２のフォトスイッチであることを特徴とする請求項４〜７の何れか１項に記載のダイヤル。
【請求項９】
前記シャフトには、ブレーキ板が固着され、
該ダイヤルを搭載する電子機器のパネル側には、前記ブレーキ板に接触／離反変位可能なブレーキパッドが設けられ、
前記切換えレバーはまた、節度感を有りにする場合は前記ブレーキパッドをブレーキ板から離反させ、前記節度感を無しにする場合で軽回転時および前記節度感を無しにする場合で重回転時は前記ブレーキパッドをそれぞれの重さに応じてブレーキ板に接触させることを特徴とする請求項４〜８の何れか１項に記載のダイヤル。
【発明の詳細な説明】
【技術分野】
【０００１】
本発明は、たとえば通信機器やＡＶ機器に用いることができるダイヤルに関し、特に節度感（クリック）を付与することができるクリック機構に関する。
【背景技術】
【０００２】
上記の節度感（クリック）を付与することができるクリック機構およびそれを備えたダイヤルについては、本件出願人が、既に特許文献１で提案している。その特許文献１で提案されているダイヤルおよび本発明のダイヤルが用いられる無線機１の例を図１に示す。この無線機１は、無線機本体２と、コントローラ３と、ハンドマイクロホン４とを備えて構成される。
【０００３】
この無線機１は、コントローラ３を無線機本体２から分離することで、コントローラ３のみをテーブルやダッシュボードに設置して、コンパクトな使用も可能になっている。そのため、コントローラ３には、外部スピーカ（ヘッドホン）端子、エレキー端子、マイクロホン端子などの必要な端子が装備されている。
【０００４】
コントローラ３の前面パネル３１の一部は、傾斜されていて、操作が容易となっている。その傾斜パネルに、周波数調整などに使用され、本発明の一使用例であるダイヤル１０が設けられている。ダイヤル１０の表面には、偏心した位置に指孔１０１が形成されて高速の回転操作が可能になっているとともに、外周は、ローレット付きのウレタンなどで被覆されて、指に馴染み易く、精細な調整が可能となっている。このダイヤル１０の内部本体は、ダイカストなどで形成されて、該ダイヤル１０に或る程度の慣性が与えられている。
【０００５】
そして、このダイヤル１０の前面パネル３１側の基端部には、トルク調整レバー１０２が設けられている。図２の例では、前記トルク調整レバー１０２はダイヤル１０の外周から僅かに突出して、前面パネル３１側の周縁部において円弧状に揺動可能となっている。そして、たとえば、１番下にスライドすると軽く（低摩擦回転と）なり、１段上げると重く（高摩擦回転と）なり、１番上にスライドすると摩擦無しの節度感（クリック）有りとなる。こうして、ダイヤル１０の回転トルクを、３段階から調整可能となっている。トルク調整レバー１０２は、使用者が一旦好みのトルクに調整すると、再度調整される頻度は高くないので、図１のように前面パネル３１に形成された凹部１０３に収容されていたり、前面パネル３１ではなく、底面に設けられていたりすることもある。このトルク調整レバー１０２によるトルク調整は、本発明の実施の形態にて詳述する。
【０００６】
そして、上述のようなダイヤル１０の裏側に、従来技術および本発明のクリック機構が設けられる。図１３は、従来技術のクリック機構５の斜視図である。図１３は、クリック機構５を裏面側から見ており、その裏面側から前面パネル３１に向かって右側となる部分が、この図１３の上面となっている。つまり、前面パネル３１への取付け状態では、矢印Ｚ方向が上方となる。また、内部を確認可能なように、裏蓋を外している。
【０００７】
前記ダイヤル１０の背後側には、シャフト５１によってダイヤル１０に連結されて連動して回転するロータ５２が設けられている。ロータ５２は、略矩形（一面が面取りされている）で有底筒状のフレーム５３に収容されている。ロータ５２の外周面には、全周に亘って、凹部５２１と凸部５２２とが交互に形成されている。その外周面上を、図１４で示すように、係止部材であるスチールボール５４が走行する。そして、トルク調整レバー１０２が１番上にスライドされている場合には、前記スチールボール５４は板ばね部材５５の弾発力によって前記ロータ５２の外周面に圧接されており、ロータ５２が回転すると、該スチールボール５４はロータ５２の外周面上を転がって走行し、順次前記凹部５２１に嵌入してゆくことで、前記ダイヤル１０の回転操作に節度感（クリック）が得られるようになっている。
【０００８】
前記トルク調整レバー１０２が中段の高摩擦回転位置および下段の低摩擦回転位置にある状態では、前記トルク調整レバー１０２の揺動に連動する図示しない切換えレバーによって、前記板ばね部材５５は受け部５５０から跳ね上げられて前記スチールボール５４の圧接を解除し、前記節度感（クリック）が無しになっている。こうして、前記トルク調整レバー１０２の揺動に連動して、前記節度感（クリック）の有無が選択可能となっている。
【０００９】
前記特許文献１は、従来はスプリングばねなどで付勢されていたスチールボール５４を、板ばね部材５５で押圧するとともに、板ばね部材５５に磁石５６を設けて、該板ばね部材５５が跳ね上げられる際に吸着することで、上述のように節度感（クリック）が無しの状態を実現可能としている。
【先行技術文献】
【特許文献】
【００１０】
【特許文献１】特許第４５２０８８９号公報
【発明の概要】
【発明が解決しようとする課題】
【００１１】
前記特許文献１の従来技術は、前記節度感（クリック）の有無が選択可能な優れた発明であるが、その後に改良が進み、板ばね部材５５が延長されて、該板ばね部材５５の基端部５５１がビス５７などで前記フレーム５３に取付けられる一側面５３１とは異なる隣接する側面５３２まで、遊端部５５２が延びている。そして、この遊端部５５２には、作動片５５３が設けられている。作動片５５３は、前記板ばね部材５５が略直線状に延びていると基板５８に搭載されたフォトスイッチ５８１の光路を遮断して前記節度感（クリック）有りの状態を示し、前記板ばね部材５５が跳ね上げられて前記光路を導通すると前記節度感（クリック）無しの状態を示し、フォトスイッチ５８１の検出結果は、そのような節度感（クリック）の有無に応じた所定のモード切換えに使用される。
【００１２】
一方、前記ロータ５２には、予め定める半径位置に、周方向に連続して、スリット５２３から成るエンコーダパターンが形成されており、そのエンコーダパターンは、別の側面５３２に形成された開口部５３３から突出して該エンコーダパターンに臨むフォトスイッチ５８２によって読み取られる。そして、前記モード切換えの手段であるフォトスイッチ５８１は基板５８の表面側に搭載され、裏面側には検出素子であるフォトスイッチ５８２が搭載される。こうして、前記ダイヤル１０の回転操作を検出するエンコーダとしての機能を有し、フレームの一側面５３１に節度感（クリック）を付与する板ばね部材５５が取付けられるために、別の側面５３２に取付けられることになる基板５８に対して、延長された板ばね部材５５を用いて、節度感（クリック）の有無に応じたモード切換えの機能を搭載している。
【００１３】
前記モード切換えは、たとえばダイヤル１０の単位回転当りのエンコーダパルスの発生数の切換えであり、前記基板５８は、節度感（クリック）有りの時は通常モードとして前記フォトスイッチ５８２で得られたエンコーダパルスをそのまま出力させ、節度感（クリック）無しの時は倍速モードとして前記エンコーダパルスを所定の倍数にして出力させることである。
【００１４】
しかしながら、前記フレームの一側面５３１から別の側面５３２に亘って形成される板ばね部材５５は、長尺で、節度感（クリック）有りの時に、スチールボール５４が凸部５２２に突き上げられて発生する振動が、前記遊端部の作動片５５３まで伝わってしまい、フォトスイッチ５８１の光路が上述のように常時遮断となるべきところ、導通して誤作動を生じてしまう可能性がある。詳しくは、通常モードから倍速モードに誤判定してしまい、１クリックで１パルス出力されるべきところ、２パルスや４パルスが出力され、周波数飛びが生じてしまう可能性がある。
【００１５】
そのため、そのような誤作動を生じないためには、作動片５５３を大きく形成して、多少の揺れではフォトスイッチ５８１が誤検出しないように構成することも考えられる。しかしながら、そうなると、前記のように板ばね部材５５が略直線状に延びて作動片５５３が光路を遮断している状態から、該板ばね部材５５が切換えレバーで跳ね上げられて作動片５５３が光路を導通させるためには、大きなストロークが必要になり、前記切換えレバーで板ばね部材５５の基端側を大きく屈曲させる必要がある（負担が掛かる）。そのため、特に節度感（クリック）無し、すなわち板ばね部材５５を跳ね上げた状態が長く続くと、該板ばね部材５５が塑性変形してしまう（へたりを生じる）、つまり癖が付いてしまい、節度感（クリック）有りに戻しても、節度感（クリック）が得られない可能性がある。
【００１６】
本発明の目的は、節度感を生じさせる板ばね部材の塑性変形を抑えつつ、該板ばね部材の変位によって生じるモード切換え手段の動作を安定させることができるクリック機構およびそれを備えるダイヤルを提供することである。
【課題を解決するための手段】
【００１７】
本発明のクリック機構は、ダイヤルに連動して回転するロータの外周面に凹部と凸部とが交互に形成され、その外周面に、板ばね状の弾性部材によって付勢された係止部材が圧接し、該係止部材が前記ロータの回転に伴い前記凹部に嵌入してゆくことで、前記ダイヤルの回転操作に節度感を得るようにしたダイヤルのクリック機構において、前記節度感の有無を選択可能とするために、前記節度感を無しにする場合は、前記弾性部材の基端側を跳ね上げて前記圧接を解除する切換えレバーと、前記板ばね状の弾性部材の遊端側に設けられる作動片と、前記係止部材とは前記ロータの周方向に離間した位置に設けられ、前記作動片の変位から、前記節度感の有無の選択結果を検出して動作モードを切換えるモード切換え手段とを含み、前記弾性部材は、前記係止部材を遊端側に有するとともに、前記切換えレバーの跳ね上げを受ける受け部と、前記受け部よりも遊端側に設けられる押圧部とを有する第１の板ばね部材と、前記第１の板ばね部材の押圧部によって基端もしくは中央部寄りが押圧され、遊端側に前記作動片を有する第２の板ばね部材とを備えることを特徴とする。
【００１８】
上記の構成によれば、ダイヤルに連動して回転するロータの外周面に凹部と凸部とが交互に形成され、その外周面に、板ばね状の弾性部材によって付勢された係止部材が圧接し、該係止部材が前記ロータの回転に伴い前記凹部に嵌入してゆくことで、前記ダイヤルの回転操作に節度感を得るようにしたダイヤルのクリック機構において、切換えレバーを設けて、その切換えレバーで前記弾性部材の基端側を跳ね上げて前記圧接を解除することで、前記節度感を無しにできるようにし、こうして節度感の有無を選択可能とする。
【００１９】
一方、板ばね状の弾性部材は、前記係止部材の付勢を行うだけでなく、長く延びて形成され、その遊端側に設けられた作動片がモード切換え手段に作用してモード切換えを行うことで、前記係止部材とは前記ロータの周方向に離間した位置、たとえば該クリック機構が矩形の場合、係止部材が設けられる側面とは異なる隣接した側面に設けられるモード切換え手段の操作にも兼用可能とする。前記モード切換え手段は、たとえばマイクロスイッチや光センサが基板に搭載されて構成される。
【００２０】
その上で、前記弾性部材を、複数枚の板ばね部材で構成する。第１の板ばね部材は、前記係止部材を遊端側に有するとともに、前記切換えレバーの跳ね上げを受ける受け部と、前記受け部よりも遊端側に設けられる押圧部とを有する。第２の板ばね部材は、前記第１の板ばね部材の押圧部によって基端もしくは中央部寄りが押圧され、遊端側に前記作動片を有する。この第２の板ばね部材は、２枚以上設けられて、同様に受け部よりも遊端側に次の板ばね部材のための押圧部が設けられていればよい。
【００２１】
したがって、節度感を無しにするために同じ切換えレバーの操作を行っても、すなわち係止部材をロータの外周面から同じだけの距離だけ離すようにしても、単体の板ばね部材で構成した場合に比べて、第２の板ばね部材の撓みを小さくすることができ、塑性変形（へたり）を抑えることができる。また、節度感（クリック）有りの場合における係止部材の突き上げによる第２の板ばね部材の変位は小さく、前記モード切換え手段の誤作動、たとえば前記マイクロスイッチや光センサの誤検知を抑え、安定した動作を実現することができる。
【００２２】
また、本発明のクリック機構では、前記ロータを収容する有底筒状のフレームの外周面に前記第１および第２の板ばね部材の基端側が固定され、前記第２の板ばね部材は、  前記フレームに固定される基端部と、前記基端部から第１の折れ線で折り曲げられて前記フレームから離反する方向に延びる立ち上げ部と、前記立ち上げ部の先端から第２の折れ線で折り曲げられて前記フレームと略平行に延び、その先端に前記作動片を有する揺動部とを備えて構成されることを特徴とする。
【００２３】
上記の構成によれば、第２の板ばね部材の揺動（撓み）の基点は、主に第２の折れ線になり、これによって該第２の板ばね部材の撓みを一層小さくすることができ、塑性変形（へたり）を、より抑えることができる。
【００２４】
さらにまた、本発明のクリック機構では、前記係止部材は、前記凸部を乗り越え、凹部に嵌入可能なスチールボールから成り、前記第１の板ばね部材は、磁性材料から成り、かつ前記切換えレバーの跳ね上げ時に前記スチールボールを吸着する磁石を有し、前記第２の板ばね部材は、非磁性材料から成ることを特徴とする。
【００２５】
上記の構成によれば、節度感有りの場合は係止部材であるスチールボールはロータの外周面上を転がって走行し、節度感無しの場合は前記スチールボールは第１の板ばね部材に吸着されてロータの外周面から離反しており、こうして節度感の有無を切換えることができる。そして、比較的大きな部品となる第２の板ばね部材が非磁性材料から成ることで、磁石を搭載する第１の板ばね部材に吸着することは無く、組立て性を向上することができる。
【００２６】
また、本発明のダイヤルは、前記のクリック機構を備え、背面側に、シャフトで前記ロータが連動回転するように設けられていることを特徴とする。
【００２７】
上記の構成によれば、たとえば通信機器やＡＶ機器に用いることができるダイヤルに、節度感の有無を切換え可能にすることができる。
【００２８】
さらにまた、本発明のダイヤルでは、前記ロータには、予め定める半径位置に、周方向に連続してエンコーダパターンが形成されており、前記ロータを収容するフレームと、前記フレームの一側面に形成された開口部から突出し、前記エンコーダパターンに臨む検出素子と、前記検出素子を搭載する基板とをさらに備え、前記基板の、表面側には前記モード切換え手段が搭載され、裏面側には前記検出素子が搭載されることを特徴とする。
【００２９】
上記の構成によれば、ダイヤルの回転に節度感を持たせるロータを、ダイヤルの回転を検出するエンコーダとしても兼用することができる。つまり、ダイヤルの回転操作をエンコーダで検出するようにしたダイヤルにおいて、前記節度感の有無を切換え可能にすることができる。そしてさらに、１枚の基板に、前記ダイヤルの回転操作を検出するエンコーダとしての機能と、節度感の有無に応じたモード切換えの機能とを搭載することができる。
【００３０】
また、本発明のダイヤルでは、前記基板は、前記検出素子の前記エンコーダパターンの検出によるエンコーダパルスを出力する基板であり、前記モード切換え手段は、節度感有り時は通常モードとして前記エンコーダパルスをそのまま出力させ、節度感無し時は倍速モードとして前記エンコーダパルスを所定の倍数にして出力させることを特徴とする。
【００３１】
上記の構成によれば、前記のモード切換え機能の一例として、所定の回転角（１クリック分）のエンコーダパルスを出力する通常モードと、たとえば２倍或いは４倍のエンコーダパルスを出力する倍速モードとに切換えを行うことができる。
【００３２】
さらにまた、本発明のダイヤルでは、前記エンコーダパターンは透孔（スリット）であり、前記検出素子は前記ロータを前後から挟み込み、対向面に一対の受発光素子を有する第１のフォトスイッチであることを特徴とする。
【００３３】
上記の構成によれば、ダイヤルの回転操作を、光路の導通／遮断によって、ロータに非接触で検出することができる。
【００３４】
また、本発明のダイヤルでは、前記モード切換え手段は、前記作動片を前後から挟み込み、対向面に一対の受発光素子を有する第２のフォトスイッチであることを特徴とする。
【００３５】
上記の構成によれば、第２の板ばね部材の揺動によるモード切換えを、光路の導通／遮断によって、作動片に非接触で検出することができる。
【００３６】
さらにまた、本発明のダイヤルでは、前記シャフトには、ブレーキ板が固着され、該ダイヤルを搭載する電子機器のパネル側には、前記ブレーキ板に接触／離反変位可能なブレーキパッドが設けられ、前記切換えレバーはまた、節度感を有りにする場合は前記ブレーキパッドをブレーキ板から離反させ、前記節度感を無しにする場合で軽回転時および前記節度感を無しにする場合で重回転時は前記ブレーキパッドをそれぞれの重さに応じてブレーキ板に接触させることを特徴とする。
【００３７】
上記の構成によれば、前記切換えレバーの操作によって、節度感の有無とともに、ブレーキの有無も調整できるので、節度感無しで軽回転時はロータ（ダイヤル）の円滑な回転が可能となり、節度感無しで重回転時および節度感を有りの場合はロータ（ダイヤル）の回転角の精細な調整が可能となる。
【発明の効果】
【００３８】
本発明のクリック機構は、以上のように、ダイヤルに連動して回転するロータの外周面に凹部と凸部とが交互に形成され、その外周面に、板ばね状の弾性部材によって付勢された係止部材が圧接し、該係止部材が前記ロータの回転に伴い前記凹部に嵌入してゆくことで、前記ダイヤルの回転操作に節度感を得るようにしたダイヤルのクリック機構において、切換えレバーを設けて、その切換えレバーで前記弾性部材の基端側を跳ね上げて前記圧接を解除可能にすることで、節度感の有無を選択可能にするに際して、前記板ばね状の弾性部材が長く延びて形成され、その遊端側に設けられた作動片がモード切換え手段に作用してモード切換えにも兼用される場合に、前記弾性部材を、複数枚の板ばね部材で構成し、第１の板ばね部材は前記係止部材を遊端側に有するとともに、前記切換えレバーの跳ね上げを受ける受け部よりも遊端側に押圧部を有し、その押圧部で次の第２の板ばね部材の基端もしくは中央部寄りを押圧する。
【００３９】
それゆえ、節度感を無しにするために同じ切換えレバーの操作を行っても、単体の板ばね部材で構成した場合に比べて、第２の板ばね部材の撓みを小さくすることができ、塑性変形（へたり）を抑えることができる。また、節度感有りの場合における係止部材の突き上げによる第２の板ばね部材の変位は小さく、前記モード切換え手段の誤作動を抑え、安定した動作を実現することができる。
【図面の簡単な説明】
【００４０】
【図１】本発明および従来技術のクリック機構が用いられるダイヤルを備えた無線機の例を示す図である。
【図２】図１で示す無線機におけるダイヤルのトルク調整レバーの操作を説明するための斜視図である。
【図３】本発明の実施の一形態に係るクリック機構を背面側から見た斜視図である。
【図４】本発明の実施の一形態に係るクリック機構を多方面から見た斜視図である。
【図５】前記クリック機構に前面パネル側の構成を加えて多方面から見た分解斜視図である。
【図６】前記クリック機構に前面パネル側の構成を加えて多方面から見た分解斜視図である。
【図７】前記クリック機構を構成する第１の板ばね部材の六面図である。
【図８】前記クリック機構を構成する第２の板ばね部材の六面図である。
【図９】節度感（クリック）の有無の状態を説明するための図であり、クリック機構の正面図である。
【図１０】節度感（クリック）の有無の状態を説明するための図であり、クリック機構の背面図である。
【図１１】節度感（クリック）の有無の状態を説明するための図であり、クリック機構の模式的な正面図である。
【図１２】節度感（クリック）の有無の状態を説明するための図であり、クリック機構の模式的な斜視図である。
【図１３】従来技術のクリック機構の斜視図である。
【図１４】本発明および従来技術のクリック動作を説明するための斜視図である。
【発明を実施するための形態】
【００４１】
図３および図４は本発明の実施の一形態に係るクリック機構６の斜視図であり、図５および図６はそのクリック機構６に前面パネル３１側の構成を加えた分解斜視図である。図５および図６における前面パネル３１側の構成では、内部を見易くするために、ダイヤル１０は省略しており、また前面パネル３１もダイヤル１０およびクリック機構６付近の一部分だけを示している。図３は、図１３と同様に、クリック機構６を裏面側から見ており、その裏面側から前面パネル３１に向かって右側となる部分が、この上面となっている。つまり、図３〜図６において、図１３と同様に、前面パネル３１への取付け状態では、クリック機構６は、矢印Ｚ方向が上方となる。したがって、図４において、（ａ）は表面の左上方から見ており、（ｂ）は表面の左下方から見ており、（ｃ）は裏面の左上方から見ており、（ｄ）は裏面の左下方から見ている。また、図５は表面の左下方から見ており、図６は裏面の左下方から見ている。さらに、図３では、図１３と同様に、クリック機構６の内部を見易くするために、図４〜図６で示される裏蓋６３９を省略している。
【００４２】
このクリック機構６は、前述の図１３で説明したクリック機構５に類似しており、後に詳述するように、クリック機構５における板ばね部材５５を、複数枚（図３〜図５の例では２枚）の板ばね部材６５，６６で形成した点が異なる。このクリック機構６も、前述のようなダイヤル１０の裏側に設けられる。
【００４３】
したがって、先ず図３を参照して、前述の図１３で示すクリック機構５と同様に、前記ダイヤル１０の背後側には、シャフト６１によってダイヤル１０に連結されて連動して回転するロータ６２が設けられている。なお、ダイヤル１０とロータ６２とは、連動して回転すればよく、本実施形態のようにシャフト６１による直結に限らず、適宜の加減速の歯車が介在されたり、傘歯車が介在されて向きが異なる位置に設けられるなどしてもよい。ロータ６２は、略矩形（一面が面取りされている）で有底筒状のフレーム６３に収容されている。フレーム６３は、ロータ６２を回転支持し、前面パネル３１に取付けるだけの枠や、図３のような筒の形状の何れでもよい。しかしながら、防塵や静粛性のためには、気密性の高い図３のような有底筒などとすることが好ましく、さらに裏蓋６３９によって気密性を向上することが好ましい。
【００４４】
前記ロータ６２の外周面には、全周に亘って、凹部６２１と凸部６２２とが交互に形成されている。その外周面上を、図１４で示すように、係止部材であるスチールボール６４が走行する。そして、トルク調整レバー１０２（図１、図２、図５、図６参照）が１番上にスライドされている場合には、前記スチールボール６４は第１の板ばね部材６５の弾発力によって前記ロータ６２の外周面に圧接されており、ロータ６２が回転すると、該スチールボール６４はロータ６２の外周面上を転がって走行し、順次前記凹部６２１に嵌入してゆくことで、前記ダイヤル１０の回転操作に節度感（クリック）が得られるようになっている。
【００４５】
前記トルク調整レバー１０２が中段の高摩擦回転位置および下段の低摩擦回転位置にある状態では、前記トルク調整レバー１０２の揺動に連動する図示しない切換えレバーによって、前記第１の板ばね部材６５は受け部６５１（図５参照）から跳ね上げられて前記スチールボール６４の圧接を解除し、前記節度感（クリック）が無しになっている。こうして、前記トルク調整レバー１０２の揺動に連動して、前記節度感（クリック）の有無が選択可能となっている。
【００４６】
次に、図５および図６を参照して、前記トルク調整レバー１０２の操作によるダイヤル１０の摩擦トルクの調整について説明する。前面パネル３１には、前記ダイヤル１０の後部側および摩擦トルクの調整機構を収容するために、前方側から後方側へ、円形に１段落ち込んだ凹所３１１が形成されている。クリック機構６の有底筒状のフレーム６３の底部の中央からは、前記シャフト６１を枢支する案内筒６３４が立設されており、その案内筒６３４の部分が、前記凹所３１１の中央に形成された挿通孔３１２から挿通される。前記案内筒６３４の外周にはねじが刻設されるとともに、円筒状の該案内筒６３４の一側面が面取りされて平面６３５が形成されている。これに対応して、前記挿通孔３１２の内周面の一部には、平面３１３が形成されている。そして、前記平面６３５，３１３が一致するように案内筒６３４が挿通孔３１２に挿通され、ナット１０３が前記案内筒６３４のねじに螺着されることで、クリック機構６は、そのシャフト６１周りの回転止めが行われつつ、前面パネル３１の裏面側に取付けられる。
【００４７】
前記凹所３１１の中央部において、前記挿通孔３１２の周縁部は、前方に円筒が立ち上げられてボス３１４が形成されており、そのボス３１４で立ち上がっている部分に、前記トルク調整レバー１０２によって操作されるトルク調整板７が挟み込まれる。詳しくは、トルク調整板７は、環状の基体７１の一直径線方向に対向する位置から、互いに離反方向に延びる操作片７２；７３，７４が形成されるとともに、他の直径線方向に対向する位置から、ばね片７５，７６が延設されて構成されている。そして、ワッシャ１０４、トルク調整板７、押え板１０５および前記ナット１０３の順で前記案内筒６３４に嵌め込まれ、ナット１０３が螺着されると、トルク調整板７はボス３１４の周りに回（揺）動可能となる。ワッシャ１０４は、前記凹所３１１の底面に対するトルク調整板７の回（揺）動を円滑にするために介在される。
【００４８】
そして、一方の操作片７２の先端部が前記凹所３１１の切り欠かれた周縁部３１５から突出することで、前記トルク調整レバー１０２となる。これに対して、他方の操作片７３，７４は、相互に凹所３１１の底板３１６を挟み込むように配置され、図５および図６の例では、前面側の操作片７３は基体７１の外周部から延設され、後面側の操作片７４は環状の基体７１において、内部開口７１１を形成するために打ち抜かれた部分が外側に折り返されて形成される。この操作片７４は、底板３１６に形成された開口３１７から後面側に突出し、後述するように第１の板ばね部材６５を跳ね上げる切換えレバーとして機能する。
【００４９】
一方、ばね片７５，７６は、前記他の直径線方向に対向する位置から半径方向外方に突出する突出部７５１，７６１と、その突出部７５１，７６１の先端から周方向に円弧状に延びる作動片７５２，７６２とを備えて構成されている。前記作動片７５２，７６２の少なくとも一部分には、ダイヤル１０の裏面に設けられたブレーキ板に摩擦接触することができるブレーキパッドが貼り付けられている。一方、円弧状の作動片７５２，７６２の途中には、２カ所の凹部７５３，７５４；７６３，７６４が形成されており、この凹部７５３，７５４；７６３，７６４および作動片７５２，７６２が前記底板３１６に形成された対応するかまぼこ状の凸部３１６１，３１６２と相互に干渉することで、トルク調整板７、すなわち前記トルク調整レバー１０２の図２に関連して述べた３つの操作位置での摩擦トルクの調整が行われる。
【００５０】
詳しくは、前記トルク調整レバー１０２が上段位置にある節度感（クリック）有りの状態では、大きな凹部７５３，７６３に凸部３１６１，３１６２が入り込んでブレーキ無しの状態となって前記クリック機構６のみが作用する。これに対して、前記トルク調整レバー１０２が中段位置にある高摩擦状態では、小さな凹部７５４，７６４に凸部３１６１，３１６２が入り込んで作動片７５２，７６２を押し上げ、前記ブレーキパッドがダイヤル１０側のブレーキ板に高摩擦で接触する。さらに前記トルク調整レバー１０２が下段位置にある低摩擦状態では、凹部７５３，７５４；７６３，７６４から脱出した凸部３１６１，３１６２は作動片７５２，７６２の遊端側を軽く押し上げ、前記ブレーキパッドがダイヤル１０側のブレーキ板に低摩擦で接触する。
【００５１】
さらに、環状の基体７１の一部には、周方向に延びる円弧状のスリット７１２が形成されており、このスリット７１２で切り離されて弾発性を発揮できる円弧状部７１３は、トルク調整板７、すなわち前記トルク調整レバー１０２の位置決め部として機能する。詳しくは、該円弧状部７１３に形成された突起７１４が、前記底板３１６において、前記トルク調整レバー１０２の、上段、中段、下段の各対応位置に形成された凹部３１９１，３１９２，３１９３にそれぞれ嵌り込むことで、前記トルク調整板７の揺（回）動を阻止する。
【００５２】
再び図３を参照して、前記ロータ６２には、予め定める半径位置に、周方向に連続して、スリット６２３から成るエンコーダパターンが形成されており、そのエンコーダパターンは、側面６３２に形成された開口部６３３から突出して該エンコーダパターンに臨むフォトスイッチ６８２によって読み取られる。そして、前記モード切換えの手段であるフォトスイッチ６８１は基板６８の表面側に搭載され、裏面側には検出素子であるフォトスイッチ６８２が搭載される。こうして、前記ダイヤル１０の回転操作を検出するエンコーダとしての機能を有し、フレームの一側面６３１に節度感（クリック）を付与する板ばね部材６５，６６が取付けられるために、別の側面６３２に取付けられることになる基板６８に対して、延長された第２の板ばね部材６６を用いて、節度感（クリック）の有無に応じたモード切換えの機能を搭載している。
【００５３】
前記モード切換えは、たとえばダイヤル１０の単位回転当りのエンコーダパルスの発生数の切換えであり、前記基板６８は、節度感（クリック）有りの時は通常モードとして前記フォトスイッチ６８１で得られたエンコーダパルスをそのまま出力させ、節度感（クリック）無しの時は倍速モードとして前記エンコーダパルスを所定の倍数にして出力させる。
【００５４】
注目すべきは、本実施の形態のクリック機構６では、係止部材であるスチールボール６４をロータ６２の外周面に圧接させる弾性部材を、第１の板ばね部材６５と、第２の板ばね部材６６とで構成したことである。第２の板ばね部材６６は、さらに複数枚で構成されてもよい。
【００５５】
図７は、第１の板ばね部材６５の六面図であり、（ａ）は平面図であり、（ｂ）は正面図であり、（ｃ）は側面図である。第１の板ばね部材６５は、磁性材料から成り、前記スチールボール６４を、節度感（クリック）有りの時に押圧し、無しの時に吸着する凸部６５２と、前記操作片７４の跳ね上げを受ける受け部６５１と、第２の板ばね部材６６を押圧して湾曲させる押圧部６５３とを遊端側に有するとともに、基端側は、リブ６５４が形成されて補強され、挿通孔６５５を挿通したビス６７によって、第２の板ばね部材６６とともに、フレーム６３の一側面６３１に取付けられる。本実施の形態では、受け部６５１は、前記操作片７４が潜り込むための案内斜面に形成されており、その案内斜面の導入端が押圧部６５３を兼ねている。案内斜面の角度θ１は、たとえば３５度である。押圧部６５３は、受け部６５１よりも遊端側に設けられ、第２の板ばね部材６６が２枚以上で形成される場合も、前段の板ばね部材から湾曲変位を受ける受け部６５１より、後段の板ばね部材を湾曲変位させる押圧部６５３が遊端側に設けられていればよい。
【００５６】
また、第１の板ばね部材６５の基端側には、フレーム６３に立設される回転止めのピン６３７が挿通する挿通孔６５６が穿設され、また第２の板ばね部材６６との干渉を避けた任意の箇所には、前記スチールボール６４を吸着するための磁力を発生する磁石６９が取付けられる。前記スチールボール６４は、フレーム６３の一側面６３１に形成された貫通孔６３８から前記図１４で示すようにロータ６２の外周面へ向けて突出し、前記貫通孔６３８には、凸部６５２が進退自在である。
【００５７】
図８は、第２の板ばね部材６６の六面図であり、（ａ）は平面図であり、（ｂ）は正面図であり、（ｃ）は側面図である。第２の板ばね部材６６は、非磁性材料から成り、フレーム６３の一側面６３１から、隣接する他の側面６３２にかけて延びる長手状に形成される。第２の板ばね部材６６は、前記ビス６７が挿通する挿通孔６６４およびピン６３７が挿通する挿通孔６６９が形成され、前記一側面６３１に固定される基端部６６１と、前記基端部６６１から第１の折れ線６６５で折り曲げられて前記フレーム６３から離反する方向に延びる立ち上げ部６６６と、前記立ち上げ部６６６の先端から第２の折れ線６６７で折り曲げられて前記一側面６３１と略平行に延び、その先端（遊端部６６２）に作動片６６３を有する揺動部６６８とを備えて構成される。本実施の形態では、第２の板ばね部材６６は、前記第１の板ばね部材６５の押圧部６５３によって、基端もしくは中央部寄り（図８の例では中央部寄り）が押圧される。
【００５８】
図９〜図１２は、節度感（クリック）の有無の状態を説明するための図であり、図９はクリック機構６の正面図であり、図１０は背面図であり、図１１は模式的な正面図であり、図１２は模式的な斜視図である。なお、動作の理解のために、図９、図１１および図１２には、ダイヤル１０側の構成であり、前記トルク調整レバー１０２（操作片７２）に連動して回（揺）動する操作片７４も合わせて示している。
【００５９】
前述の図２において、トルク調整レバー１０２が上段にある節度感（クリック）有りの状態では、操作片７４は、図９（ａ）、図１１および図１２において仮想線および参照符号７４ａで示すように、第１の板ばね部材６５から離反している。これによって、図１１および図１２において仮想線および参照符号６５ａで示すように、第１の板ばね部材６５は略直線状に延びてスチールボール６４を押圧しており、同様に図１１および図１２において仮想線および参照符号６６ａで示すように、第２の板ばね部材６６の揺動部６６８も一側面６３１と略平行に、略直線状に延びている。図１０（ａ）は図９（ａ）を背面側から見ている。
【００６０】
これに対して、図２において、トルク調整レバー１０２が下段にある軽い（低摩擦回転）状態および中段の重い（高摩擦回転）状態では、図９（ｂ）、図１１および図１２において実線および参照符号７４で示すように、操作片７４は第１の板ばね部材６５の受け部６５１の案内斜面に案内されて該第１の板ばね部材６５を跳ね上げる。これによって、図１１および図１２において実線および参照符号６５で示すように、第１の板ばね部材６５は撓んでスチールボール６４を吸着してロータ６２から離反させるとともに、図１１および図１２において実線および参照符号６６で示すように、該第１の板ばね部材６５の押圧部６５３によって第２の板ばね部材６６を跳ね上げる。図１０（ｂ）は図９（ｂ）を背面側から見ている。なお、トルク調整レバー１０２の操作位置としては、前述の図２で示すように３位置であるが、動作を分かり易くするために、図９〜図１２では、操作片７４は、下段の軽い（低摩擦回転）状態と中段の重い（高摩擦回転）状態との中間位置位と、上段の節度感（クリック）有りの位置との２位置で示している。
【００６１】
作動片６６３は、第２の板ばね部材６６の揺動部６６８が略直線状に延びていると基板６８に搭載されたフォトスイッチ６８１の光路を遮断して前記節度感（クリック）有りの状態を示し、該第２の板ばね部材６６が跳ね上げられて前記光路を導通すると前記節度感（クリック）無しの状態を示し、フォトスイッチ６８１の検出結果は、そのような節度感（クリック）の有無に応じた所定のモード切換えに使用される。たとえば、節度感（クリック）有りの通常モードでは、基板６８は、１クリックで１パルス出力し、節度感（クリック）無しの倍速モードでは、１クリックで２パルスや４パルス出力する。
【００６２】
ここで、図１１において、図１３で示すような単体の板ばね部材５５の場合の動作を、参照符号５５，５５ａおよび１点鎖線で示す。この図１１から理解されるように、節度感（クリック）を無しにするために同じトルク調整レバー１０２（操作片７４）の操作を行っても、すなわちスチールボール６４をロータ６２の外周面から同じだけの距離だけ離すようにしても、２枚の板ばね部材６５，６６を用いた本実施の形態では、第２の板ばね部材６６は単体の板ばね部材５５よりも撓みを小さくすることができ、塑性変形（へたり）を抑えることができる。詳しくは、前記板ばね部材６６，５５の遊端部に設けられる作動片６６３，５５３の変位を、参照符号Ｈ１，Ｈ２で、それぞれ示す通りである。また、板ばね部材６６，５５の撓みは、θ３，θ４で、それぞれ示す通りであり、たとえばθ３＝４度、θ４＝９度である。また、節度感（クリック）有りの場合におけるスチールボール６４の突き上げによる第２の板ばね部材６６の変位は小さく、フォトスイッチ６８１の誤検知を抑え、安定した動作を実現することができる。
【００６３】
さらに、第２の板ばね部材６６は、主に第２の折れ線６６７を揺動（撓み）の基点として緩やかに撓む。こうして、第１の折れ線６６５、立ち上げ部６６６および第２の折れ線６６７を有する構成で、第２の板ばね部材６６の撓みを一層小さくすることができ、塑性変形（へたり）を、より抑えることができる。また、図８で示すように、第１の折れ線６６５および第２の折れ線６６７は、互いに平行であるが、該第２の板ばね部材６６の長手方向の直交方向とは平行でなく、所定の角度θ２を持って形成されている。これによって、第１の板ばね部材６５の押圧部６５３によって跳ね上げられた際に、揺動部６６８が開き（撓み）易くなっており、塑性変形（へたり）を、より抑えることができる。
【００６４】
さらにまた、複数枚の板ばね部材６５，６６の組み合わせで構成することで、変位量Ｈ１の調整が容易であるとともに、用途に合ったばね板金の設計が可能になる。また、比較的大きな部品となる第２の板ばね部材６６が非磁性材料から成ることで、磁石６９を搭載する第１の板ばね部材６５に吸着することは無く、組立て性を向上することもできる。
【００６５】
前記エンコーダパターンは、透孔（スリット）６２３に限らず、磁気パターンなどであってもよい。しかしながら、透孔（スリット）６２３の場合、フォトスイッチ６８２によって、光路の導通／遮断から、ロータ６２に非接触でダイヤル１０の回転操作を検出することができる。また、モード切換え手段も、フォトスイッチ６８１に限らず、マイクロスイッチなどが用いられてもよく、フォトスイッチ６８１の場合、作動片６６３に非接触で検出することができる。
【００６６】
本実施の形態のようなクリック機構６を備えるダイヤル１０は、図１で示す無線機１のような通信機器に限らず、ＡＶ機器などに広く用いることができ、それらの機器で、節度感の有無を切換え可能にすることができる。
【符号の説明】
【００６７】
１    無線機
１０    ダイヤル
１０２  トルク調整レバー
２    無線機本体
３    コントローラ
３１    前面パネル
４    ハンドマイクロホン
６    クリック機構
６１    シャフト
６２    ロータ
６２１  凹部
６２２  凸部
６３    フレーム
６３１  一側面
６３２  他の側面
６４    スチールボール
６５    第１の板ばね部材
６５１  受け部
６５２  凸部
６５３  押圧部
６６    第２の板ばね部材
６６１  基端部
６６３  作動片
６６５  第１の折れ線
６６６  立ち上げ部
６６７  第２の折れ線
６６８  揺動部
６８    基板
６８１，６８２    フォトスイッチ
７    トルク調整板
７２；７３，７４    操作片
【図１】
2015076301.tif 000003
【図２】
2015076301.tif 000004
【図３】
2015076301.tif 000005
【図４】
2015076301.tif 000006
【図５】
2015076301.tif 000007
【図６】
2015076301.tif 000008
【図７】
2015076301.tif 000009
【図８】
2015076301.tif 000010
【図９】
2015076301.tif 000011
【図１０】
2015076301.tif 000012
【図１１】
2015076301.tif 000013
【図１２】
2015076301.tif 000014
【図１３】
2015076301.tif 000015
【図１４】
2015076301.tif 000016